(57)【要約】      （修正有）【課題】炉を形成するための床面の掘り下げ施工を不要とし、炉壇を畳面よりも低い茶道本来の位置とすることができ、簡単に各種の茶室間取りを組むことができ、建売住宅やマンション内、又は公共スペース等での茶道の点法（点前）、又はその稽古に好適に用いることができる茶道用茶室装置を提供する。【解決手段】炉壇用枠体７が内部に仕切り状に設けられた炉壇用台２と、炉壇用台２と同じ高さで炉壇用台２に隣接して並べられる座用台３と、炉壇用枠体７を除いた上面を覆うように炉壇用台２上に載置される炉座面４と、座用台３上に載置される座用座面とを備え、炉壇用台は、上面が開口された枡形状の炉壇用台本体と、炉壇用枠体を除く炉壇用台本体の上面を開閉自在に覆う炉壇用天面板とによって形成され、座用台は上面が開口された枡形状の座用台本体と、座用台本体の上面を開閉自在に覆う座用天面板とによって形成され、炉壇用枠体は、底面及び側面が閉鎖され上面が開口した枡形状である。【選択図】図８
0003193548.tif 000002
【実用新案登録請求の範囲】
【請求項１】
炉壇を設けるための炉壇用枠体が内部に仕切り状に設けられ、上面が半畳の大きさの、一畳の大きさの、又は３／４畳（台目畳）の大きさの四角形に形成された炉壇用台と、
前記炉壇用台と同じ高さで、且つ上面が半畳の大きさの、一畳の大きさの、又は３／４畳（台目畳）の大きさの四角形に形成され、前記炉壇用台に隣接して並べられる座用台と、
前記炉壇用枠体を除いた上面を覆うように前記炉壇用台上に載置される炉座面と、
前記座用台の上面を覆うように座用台上に載置される座用座面と、を備え、
前記炉壇用台は、上面が開口された枡形状の炉壇用台本体と、前記炉壇用枠体を除く炉壇用台本体の上面を開閉自在に覆う炉壇用天面板とによって形成され、
前記座用台は上面が開口された枡形状の座用台本体と、前記座用台本体の上面を開閉自在に覆う座用天面板とによって形成され、
前記炉壇用枠体は、底面及び側面が閉鎖され上面が開口した枡形状であることを特徴とする茶道用茶室装置。
【請求項２】
前記炉壇用天面板及び前記座用天面板の底面には、対応する前記炉壇用台及び対応する前記座用台に嵌り込む当て木が設けられることを特徴とする請求項１記載の茶道用茶室装置。
【請求項３】
前記炉壇用枠体は前記炉壇用台一の隅部又は炉壇用台の縁部の長さ方向中間部に設けられていることを特徴とする請求項１記載の茶道用茶室装置。
【請求項４】
前記炉壇用天面板の上面と前記炉壇用天面板の上面には、係合部材が配置されていることを特徴とする請求項１記載の茶道用茶室装置。
【請求項５】
少なくとも四畳半本勝手、四畳半逆勝手、本勝手台目、逆勝手台目、向切り、又は隅炉の茶室間取りのいずれか一の茶室間取りの畳取りに対応するように、前記一の炉壇用台に対して一又は複数の座用台が並べられることを特徴とする請求項１記載の茶道用茶室装置。
【考案の詳細な説明】
【技術分野】
【０００１】
本考案は、住居の床面の掘り下げや部屋取り等の施工を行うことなく、簡単に各種の間取りの茶室様式を組むことができ、これにより建売住宅やマンション内、又は公共スペース等でも茶道の炉の点法（点前）、又はその稽古することを可能にした茶道用茶室装置に関する。
【背景技術】
【０００２】
特許文献１には、茶会や茶道教室を近年の西洋的な生活様式に合わせて行うため、椅子に腰掛けて点法（点前）を行うための茶会具が記載されている。この茶会具は、炉付きの基台の手前に補助基台を配置し、空間部に椅子を置いて点法（点前）者が腰掛けてお茶を点て、客は基台の外側に置いた椅子に腰掛けて対座するものである。
【０００３】
しかしながら、茶道では、点法（点前）畳に対して左右どちらの足から進むのか、何歩で座るのか、どのように回るか等の作法をも稽古するものであり、また、点法（点前）をする者が点法（点前）畳のどの位置に座るかにより膝前の空間が広すぎたり、狭すぎたりして点法（点前）に不都合が生じることもあるため、座る位置や座り方、座る向きの稽古をもするものであり、更には膝前のどの位置に茶碗や茶器を置くかということも稽古するものである。このため、実際の床面の上を歩いて正座して稽古を行う必要があり、椅子に腰掛けて点法（点前）を行う特許文献１の茶会具は、茶道の歩き方や座る位置、道具を置く位置の稽古には適さないものである。
【０００４】
以上のように茶道の点法（点前）、又はその稽古では、実際に畳を用いて行う必要があるが、この場合には、部屋の床面を掘り下げて炉を設けるための炉壇を施工することが必要となる。このような炉壇の施工は、床面を掘り下げる工事が必要であり、建売住宅やマンション内、又は公共スペース等では不可能である。
【０００５】
特許文献２には、茶を点てるための置炉についての発明が開示されている。この置炉は、茶釜を受け入れる炉本体と、炉本体の上部の周囲から張り出す載置用板とからなり、載置用板の高さを畳への正座状態に対して所定の高さとするものである。このような置炉を畳敷きの部屋に置き、置炉を中心にして正座する位置を設定することにより茶会を行うものであり、これにより炉壇を形成するための部屋への施工が不要となる。
【０００６】
しかしながら特許文献２では、置炉が畳上に置かれることから炉が畳面よりも低く設けられる実際の茶室とは構造が異なったものとなり、炉の点法（点前）、又はその稽古としては不十分であるという欠点がある。すなわち、畳上に置かれた置炉の場合には、実際の炉（本炉）を用いた稽古とは釜の高さや柄杓を置く位置が大きく異なるため、釜に柄杓を置く際の点法（点前）者の手の位置や所作が異なり、柄杓の持ち方も異なってくるため、本炉での点法（点前）、又はその稽古とは異なる。又、置炉が高い位置となるため障壁となって点法（点前）者の動作を見ることができず、点法（点前）者以外の者が点法（点前）者の動作を見て学ぶこともできず、茶道の点法（点前）、又はその稽古には適さないものとなる。
【先行技術文献】
【特許文献】
【０００７】
【特許文献１】特開平８−１８７１７７号公報
【特許文献２】特開平７−２２７３５６号公報
【考案の概要】
【考案が解決しようとする課題】
【０００８】
上述したように、特許文献１では床面に正座することなく椅子に腰掛けて点法（点前）を行うため、炉の点法（点前）、又はその稽古には適さないものである。一方、特許文献２においても、置炉が畳上に置かれるため、炉の点法（点前）、又はその稽古には適さないものとなる。
【０００９】
本考案はこのような従来の問題点を考慮してなされたものであって、炉を形成するための床面の掘り下げ施工を不要とするばかりでなく、炉壇を畳面よりも低い茶道本来の位置とすることができ、さらには簡単に各種の茶室間取りを組むことができ、建売住宅やマンション内、又は公共スペース等での茶道の点法（点前）、又はその稽古に好適に用いることが可能な茶道用茶室装置を提供することを目的とする。
【課題を解決するための手段】
【００１０】
本考案の茶道用茶室装置は、炉壇を設けるための炉壇用枠体が内部に仕切り状に設けられ、上面が半畳の大きさの、一畳の大きさの、又は３／４畳（台目畳）の大きさの四角形に形成された炉壇用台と、前記炉壇用台と同じ高さで、且つ上面が半畳の大きさの、一畳の大きさの、又は３／４畳（台目畳）の大きさの四角形に形成され、前記炉壇用台に隣接して並べられる座用台と、前記炉壇用枠体を除いた上面を覆うように前記炉壇用台上に載置される炉座面と、前記座用台の上面を覆うように座用台上に載置される座用座面と、を備え、前記炉壇用台は、上面が開口された枡形状の炉壇用台本体と、前記炉壇用枠体を除く炉壇用台本体の上面を開閉自在に覆う炉壇用天面板とによって形成され、前記座用台は上面が開口された枡形状の座用台本体と、前記座用台本体の上面を開閉自在に覆う座用天面板とによって形成され、前記炉壇用枠体は、底面及び側面が閉鎖され上面が開口した枡形状であることを特徴とする。
【００１１】
この場合、前記炉壇用天面板及び前記座用天面板の底面には、対応する前記炉壇用台及び対応する前記座用台に嵌り込む当て木が設けられることが好ましい。また、前記炉壇用枠体は前記炉壇用台一の隅部又は炉壇用台の縁部の長さ方向中間部に設けられていることが好ましい。また、前記炉壇用天面板の上面と前記炉壇用天面板の上面には、係合部材が配置されていることが好ましい。また、少なくとも四畳半本勝手、四畳半逆勝手、本勝手台目、逆勝手台目、向切り、又は隅炉の茶室間取りのいずれか一の茶室間取りの畳取りに対応するように、前記一の炉壇用台に対して一又は複数の座用台が並べられることが好ましい。
【考案の効果】
【００１２】
本考案によれば、炉壇用枠体が内部に仕切り状に設けられた炉壇用台と、炉壇用台と同じ高さで炉壇用台に隣接して並べられる座用台と、炉壇用枠体を除いた上面を覆うように炉壇用台上に載置される炉座面と、座用台の上面を覆うように座用台上に載置される座用座面とを備えているため、炉を形成するための床面の掘り下げ施工をしなくても炉を畳面よりも低い茶道本来の位置とすることができ、建売住宅やマンション内、又は公共スペース等での茶道の点法（点前）、又はその稽古に好適に用いることができる。
又、炉壇用台と座用台との向きと組み合わせを適宜変更することにより、四畳半本勝手、四畳半逆勝手、本勝手台目、逆勝手台目、逆勝手向切り、本勝手隅炉又は逆勝手台目隅炉といった各種の茶室間取りを簡単に組むことができ、建売住宅やマンション内、又は公共スペース等での茶道の点法（点前）、又はその稽古だけでなく、四畳半本勝手、四畳半逆勝手、本勝手台目、逆勝手台目、逆勝手向切り、本勝手隅炉又は逆勝手台目隅炉といった各種の茶室間取りでの点法（点前）、又はその稽古を必要とする茶道教場においても好適に用いることができる。
【図面の簡単な説明】
【００１３】
【図１】本考案の実施形態における半畳の大きさの炉壇用台及び炉座面を示す分解斜視図である。
【図２】本考案の実施形態における一畳の大きさの炉壇用台及び炉座面を示す分解斜視図である。
【図３】本考案の実施形態における３／４畳（台目畳）の大きさの炉壇用台及び炉座面を示す分解斜視図である。
【図４】本考案の実施形態における一畳の大きさの炉壇用台及び炉座面を示す分解斜視図である。
【図５】本考案の実施形態における一畳の大きさの座用台及び座用座面を示す分解斜視図である。
【図６】本考案の実施形態における３／４畳（台目畳）の大きさの座用台及び座用座面を示す分解斜視図である。
【図７】本考案の実施形態における半畳の大きさの座用台及び座用座面を示す分解斜視図である。
【図８】本考案の実施形態が適用される四畳半本勝手の茶室間取りを示す斜視図である。
【図９】本考案の実施形態が適用される四畳半本勝手の茶室間取りを示す平面図である。
【図１０】本考案の実施形態が適用される四畳半逆勝手の茶室間取りを示す平面図である。
【図１１】本考案の実施形態が適用される本勝手台目の茶室間取りを示す平面図である。
【図１２】本考案の実施形態が適用される逆勝手台目の茶室間取りを示す平面図である。
【図１３】本考案の実施形態が適用される逆勝手向切りの茶室間取りを示す平面図である。
【図１４】本考案の実施形態が適用される本勝手隅炉の茶室間取りを示す平面図である。
【図１５】本考案の実施形態が適用される逆勝手台目隅炉の茶室間取りを示す平面図である。
【考案を実施するための形態】
【００１４】
本考案の茶道用茶室装置１は、図１〜図４に示す炉壇用台２と、図５〜図７に示す座用台３と、炉壇用台２上に載置される炉座面４と、座用台３上に載置される座用座面５とを備えている。炉壇用台２は一つが用いられ、座用台３はこの炉壇用台２に対して一又は複数が隣接して並べられる。
【００１５】
炉壇用台２は上面が半畳の大きさの、一畳の大きさの、又は３／４畳（台目畳）の大きさの四角形に形成されており、茶室間取りの畳取りに合わせていずれかの炉壇用台２が用いられる。図１は平面視が半畳の大きさの四角形に形成された炉壇用台２Ａ、図２は平面視が一畳の大きさの四角形に形成された炉壇用台２Ｂ、図３は平面視が３／４畳（台目畳）の大きさの四角形に形成された炉壇用台２Ｃを示す。又、図４は後述する炉壇用枠体７が一の縁部に位置した平面視が一畳の大きさの四角形に形成された炉壇用台２Ｄを示す。
【００１６】
炉壇用台２（２Ａ、２Ｂ、２Ｃ、２Ｄ）においては、上述した畳寸法に合わせた炉壇用台本体２１（２１Ａ、２１Ｂ、２１Ｃ、２１Ｄ）と、炉壇用台本体２１（２１Ａ、２１Ｂ、２１Ｃ、２１Ｄ）の上面に設けられる炉壇用天面板２３（２３Ａ、２３Ｂ、２３Ｃ、２３Ｄ）とを備えている。図１〜図３に示す炉壇用台本体２１Ａ、２１Ｂ、２１Ｃの内部には、炉壇用枠体７が一の隅部に形成されている。又、図４に示す炉壇用台本体２１Ｄにおいては、その内部に炉壇用枠体７が一の縁部の長さ方向の中間部に形成されている。炉壇用枠体７は炉壇用台本体２１（２１Ａ、２１Ｂ、２１Ｃ、２１Ｄ）の内部に設けられるものであり、平面視が正方形の立方枠形状に形成されると共に、炉壇用台本体２１Ａ、２１Ｂ、２１Ｃ、２１Ｄの上下寸法よりも小さな上下寸法となっている。又、炉壇用枠体７は、茶道で用いる炉縁１２を設置したときにその上面が炉壇用台本体２１Ａ、２１Ｂ、２１Ｃ、２１Ｄの上面と同じ面となるように設けられる。炉壇用枠体７は、内部に炉壇１１を設けるためのものであり、このため、詳細な図示を省略した炉壇、五徳及び灰、若しくは電熱器と炉縁等の炉の構成部材が内部にセットされる。尚、炉壇用枠体７を耐火素材とした場合には、炉壇用枠体７が炉壇の役割を果たすため炉壇は不要である。
【００１７】
炉壇用台本体２１（２１Ａ、２１Ｂ、２１Ｃ、２１Ｄ）は上面が開口された枡形状に形成されており、底面は封鎖されている。このような炉壇用台本体２１（２１Ａ、２１Ｂ、２１Ｃ、２１Ｄ）の内部は、炉壇用枠体７を除く部分が空洞状となっており、この空洞部分を収納庫として用いることができ、上述した炉の構成部材や柄杓、茶碗、茶筅等の茶道の点法（点前）、又はその稽古に使用する茶道具を収納するようになっている。
【００１８】
炉壇用台２における炉壇用天面板２３（２３Ａ、２３Ｂ、２３Ｃ、２３Ｄ）は、炉壇用枠体７を除く炉壇用台本体２１（２１Ａ、２１Ｂ、２１Ｃ、２１Ｄ）に合わせた大きさ及び形状に形成されており、これにより炉壇用枠体７を除く炉壇用台本体２１（２１Ａ、２１Ｂ、２１Ｃ、２１Ｄ）の上面を開閉自在に覆うようになっている。すなわち炉壇用天面板２３Ａ、２３Ｂ、２３Ｃ、２３Ｄは、炉壇用台２Ａ、２Ｂ、２Ｃ、２Ｄの四角形から炉壇用枠体７に対応した大きさ及び形状を切り欠くことにより形成されるものであり、図１〜図４の符号２４Ａ、２４Ｂ、２４Ｃ、２４Ｄで示す切り欠き部を有している。かかる炉壇用天面板２３（２３Ａ、２３Ｂ、２３Ｃ、２３Ｄ）が炉壇用台本体２１（２１Ａ、２１Ｂ、２１Ｃ、２１Ｄ）の上面を覆うことにより炉壇用台２を閉鎖状態として、埃等の侵入を防止することができる。以上の炉壇用天面板２３（２３Ａ、２３Ｂ、２３Ｃ、２３Ｄ）の厚さ及び炉壇用台本体２１（２１Ａ、２１Ｂ、２１Ｃ、２１Ｄ）の高さを合わせた炉壇用台２（２Ａ、２Ｂ、２Ｃ、２Ｄ）の高さは、いずれも同じ高さとなるように形成される。
【００１９】
この実施形態において、炉壇用天面板２３（２３Ａ、２３Ｂ、２３Ｃ、２３Ｄ）は炉壇用台本体２１（２１Ａ、２１Ｂ、２１Ｃ、２１Ｄ）に被せられることにより炉壇用台本体２１（２１Ａ、２１Ｂ、２１Ｃ、２１Ｄ）を開閉自在に覆う構造となっており、この覆い状態を固定するための複数の当て木８が炉壇用天面板２３（２３Ａ、２３Ｂ、２３Ｃ、２３Ｄ）の底面に突出するように形成されている。炉壇用天面板２３（２３Ａ、２３Ｂ、２３Ｃ、２３Ｄ）を炉壇用台本体２１（２１Ａ、２１Ｂ、２１Ｃ、２１Ｄ）に被せることにより、当て木８が炉壇用台本体２１（２１Ａ、２１Ｂ、２１Ｃ、２１Ｄ）の内壁と当接して炉壇用天面板２３（２３Ａ、２３Ｂ、２３Ｃ、２３Ｄ）の固定を行う。かかる炉壇用天面板２３（２３Ａ、２３Ｂ、２３Ｃ、２３Ｄ）の開閉構造としては、これに限らず、炉壇用天面板２３（２３Ａ、２３Ｂ、２３Ｃ、２３Ｄ）と炉壇用台本体２１（２１Ａ、２１Ｂ、２１Ｃ、２１Ｄ）とをヒンジ軸等によって連結して開閉自在としても良い。
【００２０】
図１〜図４に示すように、炉座面４（４Ａ、４Ｂ、４Ｃ、４Ｄ）は、かかる炉壇用台２（２Ａ、２Ｂ、２Ｃ、２Ｄ）の炉壇用天面板２３（２３Ａ、２３Ｂ、２３Ｃ、２３Ｄ）上に載置される。炉座面４（４Ａ、４Ｂ、４Ｃ、４Ｄ）は、対応した炉壇用台２（２Ａ、２Ｂ、２Ｃ、２Ｄ）に対応する大きさに形成されるものであり、炉座面４Ａは半畳の大きさの、炉座面４Ｂは一畳の大きさの、炉座面４Ｃは３／４畳（台目畳）の大きさの、炉座面４Ｄは一畳の大きさの大きさとなっている。この場合、各炉座面４Ａ、４Ｂ、４Ｃ、４Ｄにおいては、炉壇用枠体７に対応した部分が切り欠かれており、炉壇用天面板２３（２３Ａ、２３Ｂ、２３Ｃ、２３Ｄ）上に載置されたとき、各炉座面４Ａ、４Ｂ、４Ｃ、４Ｄは炉壇用枠体７を覆うことがない。図１〜図４において、符号２４Ａ、２４Ｂ、２４Ｃ、２４Ｄは炉壇用枠体７に対応した切り欠き部であり、炉壇用天面板２３Ａ、２３Ｂ、２３Ｃ、２３Ｄの切り欠き部２４Ａ、２４Ｂ、２４Ｃ、２４Ｄに対応した位置、大きさ及び形状となっている。炉座面４（４Ａ、４Ｂ、４Ｃ、４Ｄ）の上面は、畳面になっていることが好ましいが、これに限らず、ゴザ、カーペット、フローリング材、合成繊維を織った畳表や合成樹脂の表面に畳の目を型押ししたシート状の畳表等の他の素材を用いることができる。
【００２１】
このような炉壇用台２においては、各炉座面４Ａ、４Ｂ、４Ｃ、４Ｄにおいては、炉壇用枠体７に対応した部分が切り欠かれており、炉壇用天面板２３（２３Ａ、２３Ｂ、２３Ｃ、２３Ｄ）上に載置されたとき、各炉座面４Ａ、４Ｂ、４Ｃ、４Ｄは炉壇用枠体７を覆うことがないが、炉を使用せず風炉を使用する夏季又は茶道の点法（点前）、又はその稽古を行わない時には、切り欠き部２４（２４Ａ、２４Ｂ、２４Ｃ、２４Ｄ）に合わせた大きさ及び形状に形成された炉蓋により炉壇用枠体７（すなわち炉壇）の面を開閉自在に覆うことができる。炉蓋が炉壇用枠体７の上面を覆うことにより炉壇用枠体７を閉鎖状態として、炉を使用せず風炉を使用する夏季又は茶道の点法（点前）、又はその稽古を行わない時に埃等の侵入を防止することができる。
【００２２】
このような炉壇用台２においては、炉壇用枠体７が炉壇用台本体２１（２１Ａ、２１Ｂ、２１Ｃ、２１Ｄ）の内部に設けられているため、炉壇用枠体７（すなわち炉壇）が炉座面４上に位置することがなくなる。これにより、炉壇が置炉のように畳上にあることがないため、点法（点前）者の動作を見ることができる。又、湯を汲む柄杓を定位置に置くことができる。これにより茶道の点法（点前）、又はその稽古を好適に行うことができる。
【００２３】
図５〜図７に示すように、座用台３は上面が一畳の大きさの、３／４畳（台目畳）の大きさの又は半畳の大きさの四角形に形成されている。座用台３は一の炉壇用台２に対し、一又は複数が隣接して並べられる。このことにより茶室間取りの畳取りに合わせることができる。図５は平面視が一畳の大きさの四角形に形成された座用台３Ａ、図６は平面視が３／４畳（台目畳）の大きさの四角形に形成された座用台３Ｂ、図７は平面視が半畳の大きさの四角形に形成された座用台３Ｃである。
【００２４】
座用台３（３Ａ、３Ｂ、３Ｃ）においては、上述した畳寸法に合わせた座用台本体３１（３１Ａ、３１Ｂ、３１Ｃ）と、座用台本体３１（３１Ａ、３１Ｂ、３１Ｃ）の上面に設けられる座用天面板３３（３３Ａ、３３Ｂ、３３Ｃ）とを備えている。
【００２５】
座用台本体３１（３１Ａ、３１Ｂ、３１Ｃ）は上面が開口された枡形状に形成されており、底面が封鎖されている。座用台本体３１（３１Ａ、３１Ｂ、３１Ｃ）は炉壇用台２の炉壇用台本体２１と同様に内部が空洞状となっており、空洞部分を収納庫として用いることができ、炉の構成部材や柄杓、茶碗、茶筅等の茶道具等を収納できるようになっている。
【００２６】
座用天面板３３（３３Ａ、３３Ｂ、３３Ｃ）は座用台本体３１（３１Ａ、３１Ｂ、３１Ｃ）に合わせた大きさ及び形状に形成されており、座用台本体３１（３１Ａ、３１Ｂ、３１Ｃ）の上面を開閉自在に覆うようになっている。座用天面板３３（３３Ａ、３３Ｂ、３３Ｃ）が座用台本体３１（３１Ａ、３１Ｂ、３１Ｃ）の上面を覆うことにより座用台３（３Ａ、３Ｂ、３Ｃ）を閉鎖状態として埃等の侵入を防止することができる。
【００２７】
座用天面板３３（３３Ａ、３３Ｂ、３３Ｃ）は座用台本体３１（３１Ａ、３１Ｂ、３１Ｃ）に被せられることにより座用台本体３１（３１Ａ、３１Ｂ、３１Ｃ）を開閉自在に覆う構造となっており、この覆い状態を固定するための当て木９が座用天面板３３（３３Ａ、３３Ｂ、３３Ｃ）の底面に突出するように形成されている。当て木９は炉壇用台２の当て木８と同様に作用する。座用天面板３３（３３Ａ、３３Ｂ、３３Ｃ）の開閉構造としては、これに限らず、座用天面板３３（３３Ａ、３３Ｂ、３３Ｃ）と座用台本体３１（３１Ａ、３１Ｂ、３１Ｃ）とをヒンジ軸等によって連結して開閉自在としても良い。
【００２８】
かかる座用台３（３Ａ、３Ｂ、３Ｃ）は、炉壇用台２（２Ａ、２Ｂ、２Ｃ、２Ｄ）と同じ高さとなるように形成されている。これにより座用台３（３Ａ、３Ｂ、３Ｃ）を炉壇用台２（２Ａ、２Ｂ、２Ｃ、２Ｄ）に隣接して並べたとき、座用台３（３Ａ、３Ｂ、３Ｃ）及び炉壇用台２（２Ａ、２Ｂ、２Ｃ、２Ｄ）が同じ高さとなることができる。
【００２９】
座用座面５としては、一畳の大きさの、又は３／４畳（台目畳）の大きさのものが用いられる。一畳の大きさの座用座面５Ａは図５に示すように、平面視が一畳の大きさの座用台３Ａ上に載置され、３／４畳（台目畳）の大きさの座用座面５Ｂは図６に示すように、平面視が３／４畳（台目畳）の大きさの座用台３Ｂ上に載置される。図７に示す平面視が半畳の大きさの座用台３Ｃは一畳の大きさの座用台３Ａの代替として用いられるものであり、２つの半畳の大きさの座用台３Ｃを２つ並べたとき、一畳の大きさの座用座面５Ａが載置される。座用座面５の上面は、畳面になっていることが好ましいが、これに限らず、ゴザ、カーペット、フローリング材、合成繊維を織った畳表や合成樹脂の表面に畳の目を型押ししたシート状の畳表等の他の素材を用いることができる。
【００３０】
図１〜図７に示すように、炉壇用天面板２３（２３Ａ、２３Ｂ、２３Ｃ、２３Ｄ）と炉座面４（４Ａ、４Ｂ、４Ｃ、４Ｄ）との間及び座用天面板３３（３３Ａ、３３Ｂ、３３Ｃ）と座用座面５（５Ａ、５Ｂ）との間にはこれらを相互に係合させる係合部材１０が設けられる。この実施形態において、係合部材１０としては、面ファスナーが用いられている。係合部材１０としての面ファスナーは炉壇用台２（２Ａ、２Ｂ、２Ｃ、２Ｄ）における炉壇用天面板２３（２３Ａ、２３Ｂ、２３Ｃ、２３Ｄ）の上面と炉座面４（４Ａ、４Ｂ、４Ｃ、４Ｄ）の底面の対応位置に設けられると共に、座用台３（３Ａ、３Ｂ）における座用天面板３３（３３Ａ、３３Ｂ、３３Ｃ）の上面と座用座面５（５Ａ、５Ｂ）の底面の対応位置に設けられている。対応した面ファスナーが相互に係合することにより炉座面４及び座用座面５を炉壇用天面板２３、座用天面板３３に安定して載置することが可能となる。これにより炉壇用台２、座用台３上を移動してもこれらが位置ずれすることがなくなる。なお、図７に示す平面視が半畳の大きさの座用台３Ｃにおいても、その座用天面板３３Ｃの上面に係合手段１０としての面ファスナーが設けられ、座用台３Ｃ上に載置される座面を安定させることができる。かかる係合手段１０としては、凹凸嵌合部材、フック部材等の他の手段を用いることができる。
【００３１】
次に、以上の実施形態による茶室の間取りへの適用を説明する。
【００３２】
図８及び図９は四畳半本勝手の茶室間取りを示す。図１に示す半畳の大きさの炉壇用台２Ａを中央に配置し、炉壇用台２の周囲を囲むように図５に示す４つの一畳の大きさの座用台３Ａを配置する。炉壇用台２Ａの炉壇用枠体７は左隅に位置するように炉壇用台２Ａの配置方向が設定される。図１に示す半畳の大きさの炉座面４Ａを炉壇用台２Ａ上に載置し、図５に示す一畳の大きさの座用座面５Ａを４つの座用台３Ａ上に載置することにより、炉壇用枠体７が畳面よりも低く、炉縁１２の上面が畳面と一致する本来の茶室を形成することができる。この場合、一畳の大きさの座用台３Ａに代えて、図７に示す半畳の大きさの座用台３Ｃを２つ組み合わせることができる。
【００３３】
図８及び図９の四畳半本勝手の茶室間取りでは、座用座面５Ａ（１）を点法（点前）畳、座用座面５Ａ（２）を踏込畳、座用座面５Ａ（３）を客畳、座用座面５Ａ（４）を貴人畳として茶道の点法（点前）、又はその稽古を行うことができる。
【００３４】
図１０は四畳半逆勝手の茶室間取りであり、図９に示す四畳半本勝手の茶室間取りにおける炉壇用枠体７を右側にずらして炉壇用枠体７が右隅に位置するように畳取りを行うことにより形成することができる。この場合においても、炉壇用枠体７が畳面よりも低く、炉縁１２の上面が畳面と一致する本来の茶室を形成することができる。図１０に示す四畳半逆勝手の茶室間取りでは、座用座面５Ａ（５）を点法（点前）畳、座用座面５Ａ（６）を踏込畳、座用座面５Ａ（７）を客畳、座用座面５Ａ（８）を貴人畳として茶道の点法（点前）、又はその稽古を行うことができる。
【００３５】
図１１は本勝手台目の茶室間取りであり、図４に示す一畳の大きさの炉壇用台２Ｄを中央に配置し、図６に示す３／４畳（台目畳）の大きさの座用台３Ｂを炉壇用枠体７側（左側）に隣接して並べ、図５に示す一畳の大きさの座用台３Ａを炉壇用台２Ｄの右側に隣接して並べる。そして、図４に示す炉座面４Ｄを炉壇用台２Ｄ上に載置し、図６に示す３／４畳（台目畳）の大きさの座用座面５Ｂを左側の座用台３Ｂ上に載置し、図５に示す一畳の大きさの座用座面５Ａを右側の座用台３Ａ上に載置する。この場合、右側の一畳の大きさの座用台３Ｂに代えて図７に示す半畳の大きさの座用台３Ｃを２つ並べて用いても良い。この場合においても、炉壇用枠体７が畳面よりも低く、炉縁１２の上面が畳面と一致する本来の茶室を形成することができる。図１１の本勝手台目の茶室間取りでは、炉壇用枠体７の左側の座用座面５Ｂを点法（点前）畳（台目畳）として茶道の点法（点前）、又はその稽古を行うことができる。
【００３６】
図１２は逆勝手台目の茶室間取りであり、炉壇用枠体７が右側に位置するように図４に示す一畳の大きさの炉壇用台２Ｄを中央に配置し、図５に示す一畳の大きさの座用台３Ａを炉壇用台２Ｄの左側に隣接して並べ、図６に示す３／４畳（台目畳）の大きさの座用台３Ｂを炉壇用台２Ｄの右側に隣接して並べる。そして、図４に示す炉座面４Ｄを炉壇用台２Ｄ上に載置し、図５に示す一畳の大きさの座用座面５Ａを左側の座用台３Ａ上に載置し、図６に示す３／４畳（台目畳）の大きさの座用座面５Ｂを右側の座用台３Ｂ上に載置する。この逆勝手台目の茶室間取りでは、右側の座用座面５Ｂを点法（点前）畳（台目畳）として茶道の茶道の点法（点前）、又はその稽古を行うことができる。。この場合、左側の一畳の大きさの座用台３Ｂに代えて図７に示す半畳の大きさの座用台３Ｃを２つ並べて用いても良い。この場合においても、炉壇用枠体７が畳面よりも低く、炉縁１２の上面が畳面と一致する本来の茶室を形成することができる。
【００３７】
図１３は逆勝手向切りの茶室間取りであり、図２に示す右側の一畳の大きさの炉壇用台２Ｂの左側に図５に示す一畳の大きさの座用台３Ａを隣接して並べ、炉壇用台２Ｂ上に図２に示す炉座面４Ｂを載置し、座用台３Ａ上に図５に示す座用座面５Ａを載置することにより形成することができる。この場合、左側の一畳の大きさの座用台３Ａに代えて図７に示す半畳の大きさの座用台３Ｃを２つ並べて用いても良い。この場合においても、炉壇用枠体７が畳面よりも低く、炉縁１２の上面が畳面と一致する本来の茶室を形成することができる。
【００３８】
図１４は本勝手隅炉の茶室間取りであり、図２に示す左側の一畳の大きさの炉壇用台２Ｂの右側に図５に示す一畳の大きさの座用台３Ａを隣接して並べ、炉壇用台２Ｂ上に図２に示す炉座面４Ｂを載置し、座用台３Ａ上に図５に示す座用座面５Ａを載置することにより形成することができる。この場合、左側の一畳の大きさの座用台３Ａに代えて図７に示す半畳の大きさの座用台３Ｃを２つ並べて用いても良い。この場合においても、炉壇用枠体７が畳面よりも低く、炉縁１２の上面が畳面と一致する本来の茶室を形成することができる。
【００３９】
図１５は逆勝手台目隅炉の茶室間取りであり、図３に示す３／４畳（台目畳）の大きさの炉壇用台２Ｃを右側にし、その左側に図５に示す一畳の大きさの座用台３Ａを隣接して並べ、炉壇用台２Ｃ上に図３に示す炉座面４Ｃを載置し、座用台３Ａ上に図５に示す座用座面５Ａを載置することにより形成することができる。この場合、左側の一畳の大きさの座用台３Ａに代えて図７に示す半畳の大きさの座用台３Ｃを２つ並べて用いても良い。この場合においても、炉壇用枠体７が畳面よりも低く、炉縁１２の上面が畳面と一致する本来の茶室を形成することができる。
【００４０】
以上のように、この実施形態では炉壇用台２と、一又は複数の座用台３とを隣接して並べるため、種々の茶室間取りを簡単に組むことができる。このため、建売住宅やマンション内、又は公共スペース等での茶道の点法（点前）、又はその稽古に好適に用いることができる。又、炉壇用枠体７が炉壇用台２の内部に設けられているため、炉壇用枠体７に設けられる炉壇を畳面よりも低くすることができ、炉縁１２の上面を畳面と一致させることができる。これにより、点法（点前）者の動作を見ることができると共に、柄杓の位置や持ち方も本炉と同じとなり、本来の茶道の点法（点前）、又はその稽古を行うことができる。
【００４１】
本考案は以上の実施形態に限定されることなく種々変形が可能である。上記実施形態では四畳半本勝手、四畳半逆勝手、本勝手台目、逆勝手台目、逆勝手向切、本勝手隅炉、逆勝手台目隅炉の茶室間取りへの適用を示したが、炉壇用台２と座用台３とを適宜組み合わせることにより、これ以外の小間や広間、大広間等のいかなる茶室間取りに対しても同様に適用することができる。又、炉壇用台２に対して座用台３を適宜組み合わせた本考案の茶道用茶室装置を、洋室、オフィス、飲食店、公共スペース、イベントホール、体育館、公民館等の一角に設置することにより、簡易的な茶室様式を組むことができる。更に、座用台３が隣接して並べられる場合においては、隣接した座用台を磁気吸引する磁石や、相互に係合するフック部材を用いることにより隣接した座用台３を強固に組み付けることが可能となる。
【符号の説明】
【００４２】
１  茶道用茶室装置
２、２Ａ、２Ｂ、２Ｃ、２Ｄ  炉壇用台
３、３Ａ、３Ｂ、３Ｃ  座用台
４、４Ａ、４Ｂ、４ＣＤ  炉座面
５、５Ａ、５Ｂ  座用座面
７  炉壇用枠体
８、９  当て木
１０  係合部材
１１  炉壇
１２  炉縁
２１、２１Ａ、２１Ｂ、２１Ｃ、２１Ｄ  炉壇用台本体
２３、２３Ａ、２３Ｂ、２３Ｃ、２３Ｄ  炉壇用天面板
２４Ａ、２４Ｂ、２４Ｃ、２４Ｄ  切り欠き部
３１、３１Ａ、３１Ｂ、３１Ｃ  座用台本体
３３、３３Ａ、３３Ｂ、３３Ｃ  座用天面板
【図１】
0003193548.tif 000003
【図２】
0003193548.tif 000004
【図３】
0003193548.tif 000005
【図４】
0003193548.tif 000006
【図５】
0003193548.tif 000007
【図６】
0003193548.tif 000008
【図７】
0003193548.tif 000009
【図８】
0003193548.tif 000010
【図９】
0003193548.tif 000011
【図１０】
0003193548.tif 000012
【図１１】
0003193548.tif 000013
【図１２】
0003193548.tif 000014
【図１３】
0003193548.tif 000015
【図１４】
0003193548.tif 000016
【図１５】
0003193548.tif 000017